(57)【要約】【課題】虚像表示部が表示する虚像の位置または虚像が示す対象物の位置を運転者が容易に認識することを可能にする。【解決手段】  虚像表示部２および音像生成部３を制御する表示制御装置１は、虚像表示部２を用いて虚像としての表示オブジェクトを表示する表示制御部１３と、音像生成部３を用いて音声を出力する音像制御部１５とを備える。音像制御部１５は、表示制御部１３が表示した表示オブジェクトに対応する音声を出力する際、当該音声の音像位置を、当該表示オブジェクトの虚像位置に基づいて制御する。【選択図】図１
2017056747.tif 000002
【特許請求の範囲】
【請求項１】
虚像表示部および音像生成部を制御する表示制御装置であって、
前記虚像表示部は、
車両の運転席からウィンドシールドを介して視認可能な虚像である表示オブジェクトを、前記車両の特定位置を基準とする前記虚像の方向である虚像方向と、前記虚像までの距離である虚像距離とによって規定される虚像位置に表示可能であり、
前記音像生成部は、
仮想的な音源である音像を、前記車両の特定位置を基準とする前記音像の方向である音像方向と、前記音像までの距離である音像距離とによって規定される音像位置に生成可能であり、
前記表示制御装置は、
前記虚像表示部を用いて表示オブジェクトを表示する表示制御部と、
前記音像生成部を用いて音声を出力する音像制御部と、
を備え、
前記音像制御部は、前記表示制御部が表示した表示オブジェクトに対応する音声を出力する際、当該音声の音像位置を、当該表示オブジェクトの虚像位置に基づいて制御する
ことを特徴とする表示制御装置。
【請求項２】
前記音像制御部は、前記表示オブジェクトの虚像方向と当該表示オブジェクトに対応する音声の音像方向との差が予め定められた値以下になるように、当該音声の音像方向を設定する
請求項１に記載の表示制御装置。
【請求項３】
前記音像制御部は、前記表示オブジェクトの虚像距離と当該表示オブジェクトに対応する音声の音像距離との差が予め定められた値以下になるように、前記表示オブジェクトに対応する音声の音像距離を設定する
請求項１または請求項２に記載の表示制御装置。
【請求項４】
前記音像制御部は、前記表示オブジェクトに対応する音声の音像位置が、当該表示オブジェクトの虚像位置を基準にして予め定められた範囲内になるように、当該音声の音像位置を設定する
請求項１に記載の表示制御装置。
【請求項５】
前記音像制御部は、前記表示制御部が前記表示オブジェクトを新たに表示させるとき、当該表示オブジェクトの出現を表す音声を出力する
請求項１から請求項４のいずれか一項に記載の表示制御装置。
【請求項６】
前記音像制御部は、前記表示制御部が前記表示オブジェクトの虚像位置を変化させるとき、当該表示オブジェクトの虚像位置の変化を表す音声を出力する
請求項１に記載の表示制御装置。
【請求項７】
前記音像制御部は、前記表示オブジェクトの虚像位置の変化に合わせて音像位置を移動させながら、当該表示オブジェクトの虚像位置の変化を表す音声を出力する
請求項６に記載の表示制御装置。
【請求項８】
前記音像制御部は、前記表示オブジェクトの虚像位置の変化を表す音声を、音像位置の移動に合わせて変化させる
請求項７に記載の表示制御装置。
【請求項９】
前記音像制御部は、前記表示オブジェクトに対応する音声を出力する際、当該音声の音像位置を、予め定められた開始位置から当該表示オブジェクトの虚像位置へ近づけながら当該音声を出力する
請求項１に記載の表示制御装置。
【請求項１０】
前記音像制御部は、前記表示オブジェクトに対応する音声の音像位置の移動に合わせて、当該音声を変化させる
請求項９に記載の表示制御装置。
【請求項１１】
前記音像制御部は、前記車両の運転者の注視点を前記開始位置として設定する
請求項９または請求項１０に記載の表示制御装置。
【請求項１２】
前記音像制御部は、前記表示オブジェクトに対応する音声を出力する際、当該音声の音像位置を、当該表示オブジェクトの虚像位置を基準に振動させる
請求項１から請求項４のいずれか一項に記載の表示制御装置。
【請求項１３】
虚像表示部および音像生成部を制御する表示制御装置であって、
前記虚像表示部は、
車両の運転席からウィンドシールドを介して視認可能な虚像である表示オブジェクトを、前記車両の特定位置を基準とする前記虚像の方向である虚像方向と、前記虚像までの距離である虚像距離とによって規定される虚像位置に表示可能であり、
前記音像生成部は、
仮想的な音源である音像を、前記車両の特定位置を基準とする前記音像の方向である音像方向と、前記音像までの距離である音像距離とによって規定される音像位置に生成可能であり、
前記表示制御装置は、
前記車両の運転者に注意喚起すべき注意対象の前記車両に対する相対位置を取得する相対位置取得部と、
前記虚像表示部を用いて表示オブジェクトを表示する表示制御部と、
前記音像生成部を用いて音声を出力する音像制御部と、
を備え、
前記表示制御部は、前記運転者へ前記注意対象の存在を示す表示オブジェクトを表示し、
前記音像制御部は、前記運転者へ前記注意対象の存在を通知する音声を出力し、
前記音像制御部は、前記注意対象の存在を通知する音声を出力する際、当該音声の音像位置を、当該注意対象の相対位置に基づいて制御する
ことを特徴とする表示制御装置。
【請求項１４】
前記音像制御部は、前記車両から前記注意対象への方向と当該注意対象の存在を通知する音声の音像方向と差が予め定められた値以下になるように、当該音声の音像方向を設定する
請求項１３に記載の表示制御装置。
【請求項１５】
前記音像制御部は、前記車両から前記注意対象までの距離と当該注意対象の存在を通知する音声の音像距離との差が予め定められた値以下になるように、当該音声の音像距離を設定する
請求項１３または請求項１４に記載の表示制御装置。
【請求項１６】
前記音像制御部は、前記注意対象の存在を通知する音声の音像位置が、当該注意対象の位置を基準にして予め定められた範囲内になるように、当該音声の音像位置を設定する
請求項１３に記載の表示制御装置。
【請求項１７】
前記音像制御部は、前記注意対象の存在を通知する音声を出力する際、当該音声の音像位置を、予め定められた開始位置から当該注意対象の位置へ近づけながら、当該音声を出力する
請求項１３に記載の表示制御装置。
【請求項１８】
前記音像制御部は、前記注意対象の存在を通知する音声の音像位置の移動に合わせて、当該音声を変化させる
請求項１７に記載の表示制御装置。
【請求項１９】
前記音像制御部は、前記運転者の注視点を前記開始位置として設定する
請求項１７または請求項１８に記載の表示制御装置。
【請求項２０】
前記音像制御部は、前記注意対象の存在を通知する音声を出力する際、当該音声の音像位置を、前記注意対象の位置を基準に振動させる
請求項１３から請求項１６のいずれか一項に記載の表示制御装置。
【請求項２１】
請求項１から請求項２０のいずれか一項に記載の表示制御装置と、
前記虚像表示部と、
前記音像生成部と
を備える、表示装置。
【請求項２２】
虚像表示部および音像生成部を制御する表示制御装置における音像位置制御方法であって、
前記虚像表示部は、
車両の運転席からウィンドシールドを介して視認可能な虚像である表示オブジェクトを、前記車両の特定位置を基準とする前記虚像の方向である虚像方向と、前記虚像までの距離である虚像距離とによって規定される虚像位置に表示可能であり、
前記音像生成部は、
仮想的な音源である音像を、前記車両の特定位置を基準とする前記音像の方向である音像方向と、前記音像までの距離である音像距離とによって規定される音像位置に生成可能であり、
前記音像位置制御方法は、
前記虚像表示部を用いて表示オブジェクトを表示し、
前記音像生成部を用いて、前記表示オブジェクトに対応する音声を出力する際、当該音声の音像位置を、当該表示オブジェクトの虚像位置に基づいて制御する
ことを特徴とする音像位置制御方法。
【請求項２３】
虚像表示部および音像生成部を制御する表示制御装置における音像位置制御方法であって、
前記虚像表示部は、
車両の運転席からウィンドシールドを介して視認可能な虚像である表示オブジェクトを、前記車両の特定位置を基準とする前記虚像の方向である虚像方向と、前記虚像までの距離である虚像距離とによって規定される虚像位置に表示可能であり、
前記音像生成部は、
仮想的な音源である音像を、前記車両の特定位置を基準とする前記音像の方向である音像方向と、前記音像までの距離である音像距離とによって規定される音像位置に生成可能であり、
前記音像位置制御方法は、
前記車両の運転者に注意喚起すべき注意対象の前記車両に対する相対位置を取得し、
前記虚像表示部を用いて、前記運転者へ前記注意対象の存在を示す表示オブジェクトを表示し、
前記音像生成部を用いて、前記注意対象の存在を通知する音声を出力する際、当該音声の音像位置を、当該注意対象の相対位置に基づいて制御する
ことを特徴とする音像位置制御方法。
【発明の詳細な説明】
【技術分野】
【０００１】
本発明は、虚像表示部と共に音像生成部を制御する表示制御装置、並びに、当該表示制御装置における音像位置の制御方法に関するものである。
【背景技術】
【０００２】
車両のウィンドシールドに画像を表示するヘッドアップディスプレイ（ＨＵＤ）に関して様々な技術が提案されている。例えば、画像を、運転者から見て、あたかも車両前方の実風景に実在するかのように見える虚像として表示するＨＵＤが提案されている。例えば特許文献１には、虚像の見かけ上の位置と運転者との間の距離を、車速に応じて変更するＨＵＤが提案されている。
【０００３】
一方、仮想的な音源である音像を生成する技術も知られている。例えば、下記の特許文献２には、音像を生成する前に、その音像の位置を示す情報をＨＵＤで運転者に提示することにより、運転者が音像の位置を認識し易くする技術が開示されている。
【０００４】
また、下記の特許文献３には、ＨＵＤで表示する虚像の位置変化に対応して、虚像に指向する報知音を発生させることで、運転者が虚像の位置を認識し易くする技術が開示されている。但し、特許文献３は音像を用いる技術ではない。
【先行技術文献】
【特許文献】
【０００５】
【特許文献１】特開平６−１１５３８１号公報
【特許文献２】特開２００５−３３５５０３号公報
【特許文献３】特開２０１０−０３９５０８号公報
【発明の概要】
【発明が解決しようとする課題】
【０００６】
虚像の運転者からの見かけ上の位置を変化させる技術では、虚像の位置または虚像が示す対象物の位置を、運転者が容易に認識できるようにすることが課題となる。
【０００７】
本発明は、この課題を解決するためになされたものであり、虚像の位置または虚像が示す対象物の位置を運転者が容易に認識することを可能にすることを目的とする。
【課題を解決するための手段】
【０００８】
本発明の第１の態様に係る表示制御装置は、虚像表示部および音像生成部を制御する表示制御装置であって、虚像表示部は、車両の運転席からウィンドシールドを介して視認可能な虚像である表示オブジェクトを、車両の特定位置を基準とする虚像の方向である虚像方向と、虚像までの距離である虚像距離とによって規定される虚像位置に表示可能であり、音像生成部は、仮想的な音源である音像を、車両の特定位置を基準とする音像の方向である音像方向と、音像までの距離である音像距離とによって規定される音像位置に生成可能であり、表示制御装置は、虚像表示部を用いて表示オブジェクトを表示する表示制御部と、音像生成部を用いて音声を出力する音像制御部と、を備え、音像制御部は、表示制御部が表示した表示オブジェクトに対応する音声を出力する際、当該音声の音像位置を、当該表示オブジェクトの虚像位置に基づいて制御する。
【０００９】
本発明の第２の態様に係る表示制御装置は、虚像表示部および音像生成部を制御する表示制御装置であって、虚像表示部は、車両の運転席からウィンドシールドを介して視認可能な虚像である表示オブジェクトを、車両の特定位置を基準とする虚像の方向である虚像方向と、虚像までの距離である虚像距離とによって規定される虚像位置に表示可能であり、音像生成部は、仮想的な音源である音像を、車両の特定位置を基準とする音像の方向である音像方向と、音像までの距離である音像距離とによって規定される音像位置に生成可能であり、表示制御装置は、車両の運転者に注意喚起すべき注意対象の車両に対する相対位置を取得する相対位置取得部と、虚像表示部を用いて表示オブジェクトを表示する表示制御部と、音像生成部を用いて音声を出力する音像制御部と、を備え、表示制御部は、運転者へ注意対象の存在を示す表示オブジェクトを表示し、音像制御部は、運転者へ注意対象の存在を通知する音声を出力し、音像制御部は、注意対象の存在を通知する音声を出力する際、当該音声の音像位置を、当該注意対象の相対位置に基づいて制御する。
【発明の効果】
【００１０】
本発明によれば、音像位置が、虚像（表示オブジェクト）の位置または虚像が示す注意対象に対応した位置になることで、運転者は視覚だけでなく、聴覚でも、虚像の位置または虚像が示す注意対象の位置を認識できるようになる。従って、運転者がそれらの位置を認識することが容易になる。
【図面の簡単な説明】
【００１１】
【図１】実施の形態１に係る表示制御装置の構成を示すブロック図である。
【図２】虚像表示部が表示する虚像（表示オブジェクト）を説明するための図である。
【図３】虚像表示部が表示する表示オブジェクトを説明するための図である。
【図４】虚像表示部が表示する表示オブジェクトを説明するための図である。
【図５】虚像表示部が表示する表示オブジェクトを説明するための図である。
【図６】音像生成部が表示する音像を説明するための図である。
【図７】音像生成部が表示する音像を説明するための図である。
【図８】音像生成部が表示する音像を説明するための図である。
【図９】音像生成部が表示する音像を説明するための図である。
【図１０】実施の形態１に係る表示制御装置の動作を示すフローチャートである。
【図１１】表示オブジェクトおよび音像の例を示す図である。
【図１２】表示オブジェクトおよび音像の例を示す図である。
【図１３】表示オブジェクトおよび音像の例を示す図である。
【図１４】表示オブジェクトおよび音像の位置変化の例を示す図である。
【図１５】本明細書における表示オブジェクトのおよび音像の位置変化の表現例を示す図である。
【図１６】表示オブジェクトおよび音像の位置変化の例を示す図である。
【図１７】表示オブジェクトおよび音像の位置変化の例を示す図である。
【図１８】表示オブジェクトおよび音像の位置変化の例を示す図である。
【図１９】表示オブジェクトおよび音像の例を示す図である。
【図２０】表示オブジェクトおよび音像の例を示す図である。
【図２１】音像位置の動きの例を示す図である。
【図２２】音像位置の動きの例を示す図である。
【図２３】音像位置の動きの例を示す図である。
【図２４】音像位置の動きの例を示す図である。
【図２５】音像位置の動きの例を示す図である。
【図２６】音像位置の動きの例を示す図である。
【図２７】表示オブジェクトおよび音像の例を示す図である。
【図２８】表示オブジェクトおよび音像の位置変化の例を示す図である。
【図２９】表示オブジェクトおよび音像の位置変化の例を示す図である。
【図３０】表示オブジェクトおよび音像の位置変化の例を示す図である。
【図３１】表示オブジェクトおよび音像の位置変化の例を示す図である。
【図３２】表示オブジェクトおよび音像の位置変化の例を示す図である。
【図３３】表示オブジェクトおよび音像の位置変化の例を示す図である。
【図３４】表示オブジェクトおよび音像の位置変化の例を示す図である。
【図３５】表示オブジェクトおよび音像の位置変化の例を示す図である。
【図３６】表示オブジェクトおよび音像の位置変化の例を示す図である。
【図３７】表示オブジェクトおよび音像の位置変化の例を示す図である。
【図３８】表示オブジェクトおよび音像の位置変化の例を示す図である。
【図３９】表示オブジェクトおよび音像の位置変化の例を示す図である。
【図４０】表示オブジェクトおよび音像の位置変化の例を示す図である。
【図４１】表示オブジェクトおよび音像の位置変化の例を示す図である。
【図４２】実施の形態２に係る表示制御装置の構成を示すブロック図である。
【図４３】表示オブジェクトおよび音像の位置変化の例を示す図である。
【図４４】表示オブジェクトおよび音像の位置変化の例を示す図である。
【図４５】本発明に係る表示制御装置のハードウェア構成の一例を示す図である。
【図４６】本発明に係る表示制御装置のハードウェア構成の一例を示す図である。
【発明を実施するための形態】
【００１２】
＜実施の形態１＞
図１は、本発明の実施の形態１に係る表示制御装置１の構成を示す図である。本実施の形態では、表示制御装置１が車両に搭載されているものとして説明する。また、表示制御装置１を搭載した車両を「自車両」という。
【００１３】
表示制御装置１は、画像を運転者の視野に虚像として表示させる虚像表示部２（例えばＨＵＤなど）と、仮想的な音源である音像を生成する音像生成部３とを制御する。ここでは、虚像表示部２および音像生成部３が表示制御装置１に外部接続された例を示すが、虚像表示部２および音像生成部３は表示制御装置１と一体的に構成されていてもよい。すなわち、表示制御装置１、虚像表示部２および音像生成部３は、１つの表示装置として構成されていてもよい。
【００１４】
ここで、虚像表示部２が表示する虚像について説明する。本明細書では、虚像表示部２が表示する虚像を「表示オブジェクト」という。虚像表示部２は、図２のように、自車両の運転者３００の位置からウィンドシールド３０１を通して視認可能な位置に、表示オブジェクト１００を表示することができる。表示オブジェクト１００が実際に表示されている位置は、ウィンドシールド３０１上であるが、運転者３００から見ると、あたかも表示オブジェクト１００が自車両前方の風景の中に存在するかのように見えるようになっている。
【００１５】
本明細書では、運転者３００から見た、表示オブジェクト１００の見かけ上の表示位置を「虚像位置」という。虚像位置は、運転者３００の位置を基準にした表示オブジェクト１００の方向である「虚像方向」と、運転者３００の位置から表示オブジェクト１００までの見かけ上の距離である「虚像距離」とによって規定される。このように、虚像位置を定義するための基準点は、運転者３００の位置であることが好ましいが、運転者３００の位置とみなすことができる車両の特定位置であればよく、例えば、運転席やウィンドシールド３０１の特定の点を基準点、例えば運転者の目の付近に対応する位置を基準点にしてもよい。また、ＨＵＤ設置位置の設計のために想定した運転者の両目の中心点に対応する車内空間の一点を基準点としてもよい。
【００１６】
虚像方向は、実質的に、運転者３００から見たウィンドシールド３０１上における表示オブジェクト１００の位置に相当し、例えば、図３のように３次元極座標系の偏角（θｉ，φｉ）で表される。虚像距離は、実質的に、運転者３００から見た表示オブジェクト１００までの見かけ上の距離に相当し、例えば図３のように３次元極座標系の動径（ｒｉ）などで表される。運転者３００は、自身の目の焦点（ピント）の距離Ｆｄを虚像距離（ｒｉ）に合わせることによって、３次元極座標（ｒｉ，θｉ，φｉ）で表される虚像位置に表示オブジェクト１００を視認することができる。
【００１７】
なお、虚像位置を３次元極座標で表すと虚像距離（ｒｉ）の等しい面は球面となるが、車両用の虚像表示部２のように虚像方向が一定の範囲（車両の前方）に制限される場合には、虚像距離の等しい面を平面で近似してもよい。また、ＨＵＤでは、虚像の表示面が平面となるように光学的に工夫されているものが多い。以下の説明では、図４のように虚像距離の等しい面を平面として扱うこととする（図４では、車両の進行方向をｙ軸とし、ｙ＝ｒｉの平面を虚像距離ｒｉの表示面として規定している）。
【００１８】
例えば、虚像表示部２が、図４のように、虚像距離が１０ｍの第１の表示オブジェクト１００ａと、虚像距離が３０ｍの第２の表示オブジェクト１００ｂと、虚像距離が５０ｍの第３の表示オブジェクト１００ｃとを表示すると、運転者からは、図５のように、ウィンドシールド３０１を通して、前方１０ｍに第１の表示オブジェクト１００ａが存在し、前方３０ｍに第２の表示オブジェクト１００ｂが存在し、前方５０ｍに第３の表示オブジェクト１００ｃが存在しているように見える。なお、以下に示す各図では、表示オブジェクトの虚像距離を括弧書きで示している（それらは虚像として表示されるものではない）。
【００１９】
図５では、虚像距離の異なる複数の表示オブジェクトが同時に表示された例を示したが、虚像表示部２は、表示オブジェクトの虚像距離を変更可能なものであれば、同時に表示する複数の表示オブジェクトに対して１つの虚像距離しか設定できないもの（同時に表示する表示オブジェクトの表示距離が全て同じになるもの）でもよい。また、虚像表示部２は、表示オブジェクトの虚像距離を１０ｍ、３０ｍ、５０ｍのように段階的にしか変更できないものでもよいし、連続的に変更できるものでもよい。
【００２０】
次に、音像生成部３が生成する音像について説明する。音像生成部３は車内スピーカ３０２を用いて、図６のように、車内スピーカ３０２とは異なる任意の位置に、仮想的な音源である音像２００を生成して、音声を出力することができる。音声を実際に出力しているのは、車内スピーカ３０２であるが、運転者３００は、あたかも音像２００から音声が聞こえるように感じる。なお、「音声」とは、広く「音」を指す概念であり、例えば、声音、効果音、音楽なども含まれる。
【００２１】
本明細書では、運転者３００から見た、音像２００の位置を「音像位置」という。音像位置は、上記の虚像位置と同様に、運転者３００の位置を基準にした音像２００の方向である「音像方向」と、運転者３００の位置から音像２００までの距離である「音像距離」とによって規定される。音像位置を定義するための基準点も、運転者３００の位置であることが好ましいが、運転者３００の位置とみなすことができる車両の特定位置であればよく、例えば、運転席やウィンドシールド３０１の特定の点を基準点、例えば運転者の耳の付近に対応する位置を基準点にしてもよい。また、車内スピーカ３０２の設置位置の設計のために想定した運転者の両耳の中心点に対応する車内空間の一点を基準点としてもよい。
【００２２】
音像方向は、例えば、図７のように３次元極座標系の偏角（θｓ，φｓ）で表される。音像距離は、実質的に、運転者３００から音像２００までの距離に相当し、例えば図７のように３次元極座標系の動径（ｒｓ）などで表される。運転者３００には、３次元極座標（ｒｓ，θｓ，φｓ）で表される音像位置から、音声が出力されているように聞こえる。
【００２３】
音像位置を３次元極座標で表すと音像距離（ｒｓ）の等しい面は球面となるが、以下の説明では、説明の便宜のため、図８のように音像距離の等しい面を平面として扱い、音像位置と虚像位置の定義を揃える（図８では、車両の進行方向をｙ軸とし、ｙ＝ｒｓの平面を音像距離ｒｓの生成面として規定している）。ただし、音像はウィンドシールド３０１上に生成されるものではないため、通常、音像方向に制限はなく、実際には、音像距離の等しい面を球面のまま扱うのが好ましいことが多い。
【００２４】
例えば、音像生成部３が、図８のように、音像距離が１０ｍの第１の音像２００ａと、音像距離が３０ｍの第２の音像２００ｂと、音像距離が５０ｍの第３の音像２００ｃとを生成して音声を出力すると、運転者には、それぞれの距離から音声が聞こえるように感じる。音像は視認できるものではないが、以下に示す各図では、図９のように、音像の位置を、ハッチングを施した円で示す。また、音像の音像距離を、山括弧（“＜…＞”）を用いて示すものとする（それらは虚像として表示されるものではない）。
【００２５】
図９では、音像距離の異なる複数の音像が同時に生成された例を示したが、音像生成部３は、音像の音像距離を変更可能なものであれば、同時に生成する複数の音像に対して１つの音像距離しか設定できないもの（同時に生成する音像の音像距離が全て同じになるもの）でもよい。また、音像生成部３は、音像の音像距離を１０ｍ、３０ｍ、５０ｍのように段階的にしか変更できないものでもよいし、連続的に変更できるものでもよい。
【００２６】
図１に戻り、表示制御装置１には、自車両に搭載されたナビゲーション装置４、車載機器５および注意対象検知装置６が接続されている。ただし、表示制御装置１には、ナビゲーション装置４、車載機器５および注意対象検知装置６の全てが接続されている必要はなく、それらの少なくとも１つが接続されていればよい。また、ナビゲーション装置４、車載機器５および注意対象検知装置６の少なくとも１つが、表示制御装置１に内蔵されていてもよい。
【００２７】
ナビゲーション装置４は、自車両の現在位置から目的地までの最適な経路を検索し、それを走行予定経路として定め、自車両が走行予定経路に沿って走行するように、運転者に対して経路案内を行う。ナビゲーション装置４が行う経路案内は、自車両が走行経路上の分岐点や交差点などに近づいたときに、自車両の進行方向などを運転者に指示することによって行われる。ナビゲーション装置４が経路案内を行う地点を「案内地点」といい、経路案内の内容を示す情報（進行方向の指示など）を「案内情報」という。なお、案内地点は、分岐点や交差点のほか、合流地点（高速道路の出入り口等）や車線変更地点などの場合もある。
【００２８】
車載機器５は、自車両の走行速度や、バッテリー残量、燃料の残量などを検出する各種のセンサを含んでおり、例えば、スピードオーバーやバッテリーの充電不足（バッテリー不足）、燃料不足などの警告情報を出力する。
【００２９】
注意対象検知装置６は、自車両の周囲の歩行者や自転車などの注意対象（車両の運転者に注意喚起すべき対象）を検知するものである。注意対象検知装置６が検知する注意対象の例としては、自車両周辺の移動体（車両、バイク、自転車、歩行者など）、障害物（落下物、ガードレール、段差など）、特定の地点（交差点、事故多発地点など）、特定の地物（ランドマークなど）が挙げられる。これらのうち、自車両周辺の移動体や障害物は、自車両のミリ波レーダー、ＤＳＲＣ（Dedicate Short Range Communication）ユニット、カメラ（例えば赤外線カメラ）などを用いて検知することができる。また、特定の地点や地物は、それらの位置情報を含む地図情報と、自車両の位置情報とに基づいて検知することができる。
【００３０】
図１に示すように、表示制御装置１は、情報取得部１１、表示オブジェクト記憶部１２、表示制御部１３、音声データ記憶部１４および音像制御部１５を備えている。
【００３１】
情報取得部１１は、ナビゲーション装置４、車載機器５および注意対象検知装置６から、車両の運転者に通知すべき情報（以下、「通知情報」という）を取得する。ナビゲーション装置４から取得する通知情報は、自車両の前方の案内地点における経路案内の内容を示す案内情報などである。また、車載機器５から取得する通知情報は、バッテリー不足、燃料不足、スピードオーバーなどの警告情報などである。注意対象検知装置６から取得する通知情報は、注意対象の位置情報や、その注意対象の種別情報などである。
【００３２】
また、情報取得部１１は、ナビゲーション装置４から取得した案内地点の自車両に対する相対位置や、注意対象検知装置６から取得した注意対象の自車両に対する相対位置を取得する、相対位置取得部１１ａを含んでいる。案内地点と自車両との相対位置は、地図情報に含まれる案内地点の位置情報と、自車両の位置情報とから算出できる。また、注意対象としての移動体や障害物の相対位置は、自車両のミリ波レーダーの出力データ、ＤＳＲＣユニットの出力データ、または、カメラで撮影した映像の解析結果から求めることができる。
【００３３】
本実施の形態では、ナビゲーション装置４は、案内地点の相対位置を算出しており、相対位置取得部１１ａがその算出結果を取得するものとする。また、注意対象検知装置６は、検知した注意対象の相対位置を算出しており、相対位置取得部１１ａはその算出結果を取得するものとする。あるいは、情報取得部１１が、ナビゲーション装置４および注意対象検知装置６から取得した情報から、案内地点および注意対象の相対位置を算出してもよい。
【００３４】
表示オブジェクト記憶部１２は、運転者に通知情報を通知するための複数の表示オブジェクトの画像データを予め記憶している。表示オブジェクト記憶部１２に記憶されている表示オブジェクトには、例えば、案内情報の内容を示す画像（例えば、右折や左折を表す矢印の図形など）、警告情報の内容を示す画像（例えば、警告マークの図形など）、注意対象の位置を示す画像（例えば、注意対象を囲む警告枠の図形）などが含まれる。
【００３５】
表示制御部１３は、虚像表示部２による虚像の表示を制御する。例えば、表示制御部１３は、表示オブジェクト記憶部１２に記憶されている表示オブジェクトを、虚像表示部２を用いて運転者３００の視野に表示させることができる。また、表示制御部１３は、虚像表示部２が表示する表示オブジェクトの虚像位置（虚像方向および虚像距離）を制御することができる。なお、表示制御部１３は、表示オブジェクト記憶部１２に格納されていない表示オブジェクトを生成する機能や、表示オブジェクトを変形する機能を有していてもよい。
【００３６】
音声データ記憶部１４は、運転者に通知情報を通知するための複数の音声データを予め記憶している。音声データ記憶部１４に記憶されている音声データには、例えば、案内情報の内容を示す音声（例えば、「右折です」「左折です」など）のデータ、車載機器５の異常等を示すための音声（例えば、警告音や、「バッテリー不足です」などの音声メッセージ）のデータ、注意対象の存在を知らせる音声（例えば、警告音や「注意してください」などの音声メッセージ）のデータなどが含まれる。その他、音声データ記憶部１４には、表示オブジェクトの出現や移動（虚像位置の変化）を表す効果音なども記憶されている。
【００３７】
音像制御部１５は、音像生成部３による音像の生成（音声の出力）を制御する。例えば、音像制御部１５は、音声データ記憶部１４に記憶されている音声データを、音像生成部３を用いて出力することができる。また、音像制御部１５は、音像生成部３が出力する音声の音像位置（音像方向および音像距離）を制御することができる。なお、音像制御部１５は、音声データ記憶部１４に格納されていない音声データを生成する機能や、音声データを編集（音質の変更など）する機能を有していてもよい。
【００３８】
次に、表示制御装置１の動作を説明する。図１０はその動作を示すフローチャートである。
【００３９】
ナビゲーション装置４、車載機器５または注意対象検知装置６から、通知情報が出力されると、表示制御装置１の情報取得部１１は、その通知情報を取得する（ステップＳ１）。情報取得部１１が通知情報を取得すると、表示制御部１３は、当該通知情報を運転者に通知するための表示オブジェクトの画像データを表示オブジェクト記憶部１２から取得し、虚像表示部２を用いて当該表示オブジェクトを運転者の視野に表示する（ステップＳ２）。このとき、表示制御部１３は、表示オブジェクトの虚像位置を決定するが、虚像位置は通知情報の内容によって異なる（具体例は後述する）。
【００４０】
次に、音像制御部１５は、ステップＳ２で表示制御部１３が表示した表示オブジェクトの虚像位置に基づいて、それに対応する音声を出力するための音像位置を決定する（ステップＳ３）。音像位置が決定すると、音像制御部１５は、音像生成部３を用いて、その音像位置に音像を生成して、音声が出力する（ステップＳ４）。表示制御装置１は、以上のステップＳ１〜Ｓ４の動作を繰り返し実行する。
【００４１】
例えば、ステップＳ１において、情報取得部１１が、ナビゲーション装置４から通知情報として案内情報を取得した場合を想定する。この場合、ステップＳ２では、表示制御部１３が、案内情報の内容を示す表示オブジェクト（以下「案内表示オブジェクト」という）を運転者の視野に表示する。案内情報の内容が「３０ｍ先を右折」であった場合、表示制御部１３は、図１１のように、右折を表す矢印の案内表示オブジェクト１０１を表示させる。案内表示オブジェクト１０１の虚像位置は任意の位置でよいが、本実施の形態の表示制御部１３は、案内表示オブジェクト１０１の虚像方向を、運転者から見て案内地点（右折する交差点）のやや上方に設定し、案内表示オブジェクト１０１の虚像距離を、自車両から案内地点までの距離（３０ｍ）と略等しく設定するものとする。
【００４２】
また、ステップＳ３では、音像制御部１５が、音像２０１の音像位置を、案内表示オブジェクト１０１の虚像位置と同じ位置に設定する。すなわち、音像２０１の音像方向は、運転者から見て案内地点（右折する交差点）のやや上方に設定され、虚像距離は、自車両から案内地点までの距離（３０ｍ）と略等しく設定される。そして、ステップＳ４では、音像制御部１５が、案内情報の内容を示す音声として、「右折です」という音声を音像２０１から出力させる。運転者には、その音声が３０ｍ前方の音像２０１から聞こえるように感じる。
【００４３】
このように、音像２０１の音像位置を、案内表示オブジェクト１０１の虚像位置に対応させることによって、運転者は、視覚だけでなく聴覚でも案内表示オブジェクト１０１の虚像位置を認識できる。よって、案内表示オブジェクト１０１の虚像位置を認識し易くなるという効果が得られる。
【００４４】
なお、図１１では、案内表示オブジェクト１０１の虚像位置と、それに対応する音声を出力する音像２０１の音像位置とを一致させた例を示したが、両者は完全に一致しなくてもよく、音像２０１の音像位置が、案内表示オブジェクト１０１の虚像位置を基準にして予め定められた範囲内に設定されればよい。例えば、案内表示オブジェクト１０１の虚像位置が、３次元極座標で（ｒｉ，θｉ，φｉ）と表されるとき、音像２０１の音像位置の座標（ｒｓ，θｓ，φｓ）が、
（３／２）ｘｉ＞ｒｓ≧（２／３）ｘｉ      …式（１）
（５／４）θｉ＞θｓ≧（４／５）θｉ      …式（２）
（５／４）φｉ＞φｓ≧（４／５）φｉ      …式（３）
の条件を満たすように、音像位置の座標（ｒｓ，θｓ，φｓ）が設定されればよい。式（１）〜（３）の条件は一例に過ぎず、例えば、自車両の速度などの条件によって係数が変更されてもよい。
【００４５】
また、例えば図１２のように、音像２０１の音像距離を案内表示オブジェクト１０１の虚像距離に対応させる処理は行わずに、音像２０１の音像方向と案内表示オブジェクト１０１の虚像方向との差が予め定められた値以下になるように、音像２０１の音像方向のみを制御してもよい。例えば、上記の式（２）および式（３）のみが満たされるように、音像２０１の音像位置（座標）を決定してもよい。図１２においては、案内表示オブジェクト１０１の虚像距離は３０ｍであるが、音像２０１の音像距離は１０ｍに固定させており、音像２０１の音像方向のみを案内表示オブジェクト１０１の虚像方向（案内地点のやや上方）に一致させている。
【００４６】
逆に、例えば図１３のように、音像２０１の音像方向を案内表示オブジェクト１０１の虚像方向に対応させる処理は行わずに、音像２０１の音像距離と案内表示オブジェクト１０１の虚像距離との差が予め定められた値以下になるように、音像２０１の音像距離のみを制御してもよい。例えば、上記の式（１）のみが満たされるように、音像２０１の音像位置（座標）を決定してもよい。図１３においては、案内表示オブジェクト１０１の虚像方向は案内地点のやや上方であるが、音像２０１の音像方向は運転者の正面に固定させており、音像２０１の音像距離のみを案内表示オブジェクト１０１の虚像距離（３０ｍ）に一致させている。
【００４７】
１つの案内地点について、案内情報の音声を複数回出力する場合には、その都度、案内表示オブジェクト１０１の虚像位置に合わせて、音像２０１の音像位置を変化させるとよい。また、自車両から案内地点までの距離に応じて音声の内容を変更させてもよい。例えば、自車両から案内地点までの距離が５０ｍの時点では、図１４（ａ）のように、案内表示オブジェクト１０１の虚像距離および音像２０１の音像距離を共に５０ｍに設定し、「５０ｍ先を右折です」という音声を出力する。その後、自車両から案内地点までの距離が３０ｍになると、図１４（ｂ）のように、案内表示オブジェクト１０１の虚像距離および音像２０１の音像距離を共に３０ｍに変更し、「まもなく右折です」という音声を出力する。さらに、自車両から案内地点までの距離が１０ｍになると、図１４（ｃ）のように、案内表示オブジェクト１０１の虚像距離および音像２０１の音像距離を共に１０ｍに変更し、「右折です」という音声を出力する。運転者は、音像２０１の音像距離の変化によって、案内表示オブジェクト１０１の虚像距離の変化を認識できる。また、それによって、運転者は案内地点（右折地点）までの距離を把握しやすくなる。
【００４８】
図１４においては、案内表示オブジェクト１０１の虚像距離および音像２０１の音像距離の変化の様子を３枚の図を用いて表したが、本明細書では、図１５のように、時間に対する虚像距離および音像距離の変化を示すグラフとして表すこともある。
【００４９】
図１６〜図１８に、案内表示オブジェクト１０１の虚像距離の変化の例を示す。案内表示オブジェクト１０１の虚像距離は、図１６のように離散的な値をとるように不連続的に切り替わってもよいし、図１７のように連続的に変化してもよいし、図１８のように段階的に変化してもよい。
【００５０】
連続的な虚像距離の変化と不連続な（段階的な）虚像距離の変化を組み合わせてもよい。例えば、虚像距離が０ｍから３０ｍまでの範囲では、表示オブジェクトの虚像距離が連続的に変化し、虚像距離が３０ｍから５０ｍまでの範囲では、例えば３５ｍ、４０ｍ、４５ｍ、５０ｍのように、表示オブジェクトの虚像距離が不連続に変化するようにしてもよい。
【００５１】
人間の眼では、遠方になるほど距離の差や変化の認知精度が落ちるので、表示オブジェクトの虚像距離が長くなるほど、その虚像距離の変化速度が大きくなるようにしてもよい。また、表示オブジェクトの虚像距離を不連続に変化させる場合は、同様の理由から、虚像距離が長くなるほど、虚像距離の変化量が大きくなるようにしてもよい。例えば、虚像距離が０ｍから１０ｍまでの範囲では、表示オブジェクトの虚像距離が１ｍ刻みで変化し、虚像距離が１０ｍから３０ｍまでの範囲では、表示オブジェクトの虚像距離が２ｍ刻みで変化し、虚像距離が３０ｍから５０ｍまでの範囲では、表示オブジェクトの虚像距離が５ｍ刻みで変化するようにしてもよい。
【００５２】
次に、例えば、図１０のステップＳ１において、情報取得部１１が、車載機器５から通知情報としてバッテリー不足や燃料不足などの警告情報を取得した場合を想定する。この場合、ステップＳ２では、表示制御部１３が、警告情報を表す表示オブジェクト（以下「警告表示オブジェクト」）を運転者の視野に表示する。案内表示オブジェクトの虚像位置は任意の位置でよいが、本実施の形態では、図１９のように、警告表示オブジェクト１０２の虚像方向をウィンドシールド３０１の右端上部に固定し、また、その虚像距離も１０ｍに固定するものとする。
【００５３】
また、ステップＳ３では、音像制御部１５が、音像２０２の音像位置を、警告表示オブジェクト１０２の虚像位置と同じ位置に設定する。ただし、警告表示オブジェクト１０２の虚像位置と音声の音像位置とは完全に一致しなくてもよい。そして、ステップＳ４では、音像制御部１５が、警告情報を示す音声として、警告表示オブジェクト１０２の出現を表す効果音を音像２０１から出力させる。
【００５４】
例えば、車載機器５がバッテリー不足の警告情報を出力した場合、表示制御部１３は、図１９のように、ウィンドシールド３０１の右端上部の虚像距離１０ｍの位置に、バッテリー不足を示す警告表示オブジェクト１０２を出現させる。このとき、音像制御部１５は、音像２０２の音像位置を、警告表示オブジェクト１０２の虚像位置に一致させて、警告表示オブジェクト１０２の出現を表す音声（例えば「ポン」という効果音）を出力する。
【００５５】
また、車載機器５が燃料不足の警告情報を出力した場合、表示制御部１３は、図２０のように、ウィンドシールド３０１の右端上部の虚像距離１０ｍの位置に、燃料不足を示す警告表示オブジェクト１０３を出現させる。このとき、音像制御部１５は、音像２０３の音像位置を、警告表示オブジェクト１０３の虚像位置と一致させて、警告表示オブジェクト１０３の出現を表す音声（例えば「ポン」という効果音）を出力する。
【００５６】
図１９および図２０では、警告表示オブジェクト１０２の虚像位置と警告表示オブジェクト１０３の虚像位置が同じになっているが、両者が互いに異なっていてもよい。また、警告表示オブジェクト１０２の出現を表す音声と、警告表示オブジェクト１０３の出現を表す音声とを、互いに異なるものにしてもよい。例えば、警告表示オブジェクト１０２を出現させるときは「バッテリー不足です」という音声メッセージを出力し、警告表示オブジェクト１０３を出現させるときは「燃料不足です」という音声メッセージを出力してもよい。
【００５７】
また、警告表示オブジェクト１０２（または１０３）の出現を表す音声として、効果音を出力する場合、音像２０２（または２０３）の音像位置を振動させてもよい。例えば、図２１および図２２のように、音像２０２の音像距離を振動させてもよいし、図２３のように音像２０２の音像方向を振動させてもよい。音像２０２の音像位置を振動させるとき、その音像位置の変化の仕方や振動の周期は任意でよい。図２１は、音像２０２の音像距離の振動の周期が一定である例、図２２は、音像２０２の音像距離の振動の周期が時間と共に長くなる例、図２３は、音像２０２の音像方向が警告表示オブジェクト１０２を中心に回転する例を、それぞれ示している。また、図２４は、音像２０２の音像方向が回転する場合に、その回転半径が時間と共に小さくなる例である。この場合、音像方向の動きは螺旋状になる。また、音像２０２から出力させる音声の音程や強さを振動させてもよい。
【００５８】
さらに、音像２０２の音像位置を、予め定められた開始位置から警告表示オブジェクト１０２の虚像位置へ近づけながら、効果音を出力してもよい。例えば、図２５のように、音像２０２の移動の開始位置を運転者から３ｍの位置にし、その開始位置から警告表示オブジェクト１０２の虚像位置へと音像２０２を移動させながら、例えば「キーン」などの効果音を出力してもよい。また、図２６のように、音像２０２の移動の開始位置をウィンドシールド３０１の中央部の位置にし、その開始位置から警告表示オブジェクト１０２の虚像位置へと音像２０２を移動させながら、効果音を出力してもよい。また、音像２０２から出力させる音声の音程や強さを、音像位置の移動に合わせて変化させてもよい。
【００５９】
上記の図１９および図２０では、情報取得部１１が警告情報を取得したときに初めて警告表示オブジェクト１０２または１０３が表示される例を示したが、それらを常時表示させておき、実際に警告情報が出力されたときに、警告表示オブジェクト１０２または１０３の虚像距離を短くしてもよい。すなわち、通常状態（車載機器５が警告情報を出力していない状態）では、表示制御部１３は、図２７（ａ）のように警告表示オブジェクト１０２および１０３を虚像距離３０ｍで表示させておき、例えば、車載機器５がバッテリー不足の警告情報を出力したときは、表示制御部１３が、図２７（ｂ）のようにバッテリー不足を示す警告表示オブジェクト１０２の虚像距離を１０ｍに変化させ、車載機器５が燃料不足の警告情報を出力すれば、図２７（ｃ）のように燃料不足を示す警告表示オブジェクト１０３の虚像距離を１０ｍに変化させてもよい。
【００６０】
この場合、警告表示オブジェクト１０２または１０３の虚像距離を３０ｍから１０ｍに変化させたときに、その変化を表す効果音などを出力するとよい。図２７おいては、警告表示オブジェクト１０２の虚像距離が１０ｍに変化させたときは「バッテリー不足です」という音声メッセージが出力され（図２７（ｂ））、警告表示オブジェクト１０３の虚像距離が１０ｍに変化するときは「燃料不足です」という音声メッセージを出力させる（図２７（ｃ））例を示している。
【００６１】
また、警告表示オブジェクト１０２（または１０３）の虚像距離の変化を示す効果音を出力する際、音像２０２（または２０３）の音像位置を、通常状態における警告表示オブジェクト１０２の虚像位置から、虚像距離が変更した後の虚像位置へ近づけながら、効果音を出力してもよい。すなわち、図２８のように、音像２０２を音像距離が３０ｍの位置から１０ｍの位置へと移動させながら、例えば「キーン」などの効果音を出力してもよい。また、図２９のように、音像２０２の虚像距離の変化の仕方は曲線的でもよい。さらに、図３０のように、警告表示オブジェクト１０２の虚像距離を変化させる直前と直後に効果音を出力してもよい。
【００６２】
図３１〜図３５には、警告表示オブジェクト１０２（または１０３）の虚像距離の変化の例を示している。警告表示オブジェクト１０２の虚像距離は、図３１または図３２のように離散的な値をとるように不連続的に切り替わってもよいし、図３３または図３４のように連続的に変化してもよい。図３３は、警告表示オブジェクト１０２の虚像距離が直線的に変化する例、図３４は曲線的に変化する例である。また、図３５のように、虚像距離を振動させながら変化させてもよい。
【００６３】
次に、例えば、図１０のステップＳ１において、情報取得部１１が、注意対象検知装置６から通知情報として注意対象の位置情報を取得した場合を想定する。この場合、ステップＳ２では、表示制御部１３が、注意対象の存在を示す表示オブジェクト（以下「注意対象表示オブジェクト」という）を、運転者の視野に表示させる。本実施の形態では、図３６のように、注意対象表示オブジェクト１０４の虚像方向は、運転者から注意対象９０（障害物）が見える方向に設定され、虚像距離は車両から注意対象９０までの距離に設定されるものとする。
【００６４】
また、ステップＳ３では、音像制御部１５が、音像２０４の音像位置を、警告表示オブジェクト１０２の虚像位置と同じ位置に設定する。注意対象表示オブジェクト１０４の虚像位置と音像２０４の音像位置とは完全に一致しなくてもよい。そして、ステップＳ４では、音像制御部１５が、注意対象の存在を示す音声を、音像２０１から出力させる。運転者には、その音声が注意対象の位置から聞こえるように感じる。
【００６５】
例えば、車載機器５によって自車両の５０ｍ先に注意対象９０が検出されると、図３６（ａ）のように、注意対象表示オブジェクト１０４の虚像距離および音像２０４の音像距離を共に５０ｍに設定し、注意対象表示オブジェクト１０４の出現を表す例えば「ポン」などの効果音を出力する。その後、自車両から注意対象９０までの距離が３０ｍになると、図３６（ｂ）のように、注意対象表示オブジェクト１０４の虚像距離および音像２０４の音像距離を共に３０ｍに変更した上で、例えば「ピピピピ・・・」などの警告音を出力する。さらに、自車両から注意対象９０までの距離が１０ｍになると、図３６（ｃ）のように、注意対象表示オブジェクト１０４の虚像距離および音像２０４の音像距離を共に１０ｍに設定した上で、例えば「前方注意！」などの音声メッセージを出力する。運転者は、音像２０４の音像距離の変化から、注意対象表示オブジェクト１０４の虚像距離の変化を認識できる。また音像２０４から出力される音声を変化することで、運転者に注意対象９０の要注意度（緊急度）を認識させることもできる。なお、図３７は、図３６の例における注意対象表示オブジェクト１０４の虚像距離および音像２０４の音像距離の変化をグラフで示したものである。
【００６６】
また、注意対象検知装置６が注意対象９０の種別（例えば、車両、バイク、自転車、歩行者、落下物など）まで判断できる場合、その判断結果に応じて音像２０４から出力する音声を変えてもよい。あるいは、注意対象９０の種別から、当該注意対象９０の重要度（例えば、自車両が接触したときの被害の大きさなど）を判断し、その重要度に応じて音像２０４から出力する音声を変えてもよい。
【００６７】
注意対象表示オブジェクト１０４の虚像位置と音像２０４の音像位置とは完全に一致しなくてもよい。例えば、音像２０４の音像位置を、注意対象９０の自車両に対する相対位置に基づいて制御し、注意対象表示オブジェクト１０４の虚像距離は一定に維持してもよい。
【００６８】
図３８は、音像２０４の音像位置を、注意対象９０の自車両に対する相対位置に基づいて制御した場合の、注意対象表示オブジェクト１０４および音像２０４の位置変化の例である。注意対象表示オブジェクト１０４の虚像方向は、注意対象９０の位置に合わせるが、虚像距離は１０ｍに固定している。
【００６９】
この場合、自車両から５０ｍ先に注意対象９０が検出されると、図３８（ａ）のように、表示制御部１３は、注意対象表示オブジェクト１０４の虚像距離は１０ｍに設定するが、音像制御部１５は、音像２０４の音像距離は５０ｍに設定し、注意対象表示オブジェクト１０４の出現を表す例えば「ポン」などの効果音を音像２０４から出力する。その後、自車両から注意対象９０までの距離が３０ｍになると、図３８（ｂ）のように、音像制御部１５は、音像２０４の音像距離を３０ｍに変更して、例えば「ピピピピ・・・」などの警告音を音像２０４から出力する。そして、自車両から注意対象９０までの距離が１０ｍになると、図３８（ｃ）のように、音像制御部１５は、音像２０４の音像距離を１０ｍにして、例えば「前方注意！」などの音声メッセージを音像２０４から出力する。図３８の例では、注意対象表示オブジェクト１０４の虚像距離は変化しないが、運転者は、注意対象９０の目視と、音像２０４の音像距離の変化によって、自車から注意対象９０までの距離を認識できる。なお、図３９は、図３８の例における注意対象表示オブジェクト１０４の虚像距離および音像２０４の音像距離の変化をグラフで示したものである。
【００７０】
図３８および図３９の例においても、図２１〜図２４で説明したように音像位置を振動させてもよい（この場合、注意対象９０の位置を基準に音像位置を振動させるとよい）。また、音像２０４の音像位置を予め定められた開始位置から注意対象９０の位置へ移動させながら、音声を出力してもよいし、さらにその音像位置の移動に合わせて音声を変化させてもよい。
【００７１】
また例えば、車載機器５から警告情報が出力されていない通常状態で、図４０（ａ）のように警告表示オブジェクト１０２および１０３が虚像距離３０ｍの位置に表示される表示制御装置１において、注意対象検知装置６により注意対象９０が検出されると、図４０（ｂ）のように、新たに注意対象表示オブジェクト１０４が虚像距離５０ｍの位置に表示される。この場合、音像制御部１５が、音像２０４の音像距離を３０ｍから５０ｍに変化させながら、注意対象表示オブジェクト１０４の出現を表す音声を出力してもよい。なお、図４１は、図４０の例における注意対象表示オブジェクト１０４の虚像距離および音像２０４の音像距離の変化をグラフで示したものである。
【００７２】
＜実施の形態２＞
図４２は、実施の形態２に係る表示制御装置１の構成を示すブロック図である。実施の形態２に係る表示制御装置１には、運転者の注視点の位置を推定する注視点推定部７が接続されている。注視点推定部７が運転者の注視点の位置を推定する方法は任意の方法でよいが、例えば車内カメラで撮影した運転者の瞳孔画像を解析して、運転者の注視点の位置を推定する方法が考えられる。
【００７３】
先に示した図２５および図２６の例では、音像２０２を予め定められた開始位置から警告表示オブジェクト１０２の虚像位置へ近づけながら、音声を出力する例を示した。実施の形態２の動作もこれとほぼ同じであるが、音像制御部１５は、音像２０２の移動の開始位置を、運転者の注視点の位置に設定する。例えば図４３および図４４に示すように、表示制御部１３が、ウィンドシールド３０１の右上上部の虚像距離１０ｍの位置に警告表示オブジェクト１０２を表示するとき、注視点推定部７によって、運転者の注視点がウィンドシールド３０１中央の前方３０ｍの位置と推定された場合、音像制御部１５は、その注視点の位置を、音像２０２の動きの開始位置として設定する。そして、音像制御部１５は、音像２０２を当該開始位置から警告表示オブジェクト１０２の虚像位置へ近づけながら、警告表示オブジェクト１０２の出現を表す「キーン」などの効果音を出力する。
【００７４】
運転者の注視点が、音像２０２の移動の開始位置になることで、音像２０２（効果音の音源）の動きによって運転者の意識を注視点から警告表示オブジェクト１０２の虚像位置へ誘導することができる。
【００７５】
＜表示制御装置のハードウェア構成例＞
図４５および図４６は、それぞれ表示制御装置１のハードウェア構成の一例を示す図である。表示制御装置１における情報取得部１１、表示オブジェクト記憶部１２、表示制御部１３、音声データ記憶部１４、音像制御部１５および表示制御装置１６は、例えば図４５に示す処理回路４０により実現される。すなわち、処理回路４０は、虚像表示部２を用いて表示オブジェクトを表示する表示制御部１３と、音像生成部３を用いて表示オブジェクトに対応する音声を出力する際、当該表示オブジェクトの虚像位置または当該表示オブジェクトが示す注意対象の相対位置に基づいて音像位置を制御する音像制御部１５と、を備える。処理回路４０には、専用のハードウェアが適用されてもよいし、メモリに格納されるプログラムを実行するプロセッサ（Central Processing Unit、中央処理装置、処理装置、演算装置、マイクロプロセッサ、マイクロコンピュータ、Digital Signal Processor）が適用されてもよい。
【００７６】
処理回路４０が専用のハードウェアである場合、処理回路４０は、例えば、単一回路、複合回路、プログラム化したプロセッサ、並列プログラム化したプロセッサ、ＡＳＩＣ、ＦＰＧＡ、またはこれらを組み合わせたものが該当する。情報取得部１１、表示オブジェクト記憶部１２、表示制御部１３、音声データ記憶部１４、音像制御部１５および表示制御装置１６の各部の機能それぞれは、複数の処理回路４０で実現されてもよいし、各部の機能をまとめて一つの処理回路４０で実現されてもよい。
【００７７】
図４６は、処理回路４０がプロセッサである場合における表示制御装置１のハードウェア構成を示している。この場合、情報取得部１１、表示オブジェクト記憶部１２、表示制御部１３、音声データ記憶部１４、音像制御部１５および表示制御装置１６の機能は、ソフトウェア等（ソフトウェア、ファームウェア、またはソフトウェアとファームウェア）との組み合わせにより実現される。ソフトウェア等はプログラムとして記述され、メモリ４２に格納される。処理回路４０としてのプロセッサ４１は、メモリ４２に記憶されたプログラムを読み出して実行することにより、各部の機能を実現する。すなわち、表示制御装置１は、処理回路４０により実行されるときに、虚像表示部２を用いて表示オブジェクトを表示するステップと、音像生成部３を用いて表示オブジェクトに対応する音声を出力する際、当該表示オブジェクトの虚像位置または当該表示オブジェクトが示す注意対象の相対位置に基づいて音像位置を制御するステップと、が結果的に実行されることになるプログラムを格納するためのメモリ４２を備える。換言すれば、このプログラムは、情報取得部１１、表示オブジェクト記憶部１２、表示制御部１３、音声データ記憶部１４、音像制御部１５および表示制御装置１６の手順や方法をコンピュータに実行させるものであるともいえる。ここで、メモリ４２には、例えば、ＲＡＭ（Random Access Memory）、ＲＯＭ（Read Only Memory）、フラッシュメモリー、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disc）およびそのドライブ装置等が該当する。
【００７８】
以上、情報取得部１１、表示オブジェクト記憶部１２、表示制御部１３、音声データ記憶部１４、音像制御部１５および表示制御装置１６の各機能が、ハードウェアおよびソフトウェア等のいずれか一方で実現される構成について説明した。しかしこれに限ったものではなく、情報取得部１１、表示オブジェクト記憶部１２、表示制御部１３、音声データ記憶部１４、音像制御部１５および表示制御装置１６の一部を専用のハードウェアで実現し、別の一部をソフトウェア等で実現する構成であってもよい。例えば、表示制御部１３および音像制御部１５については専用のハードウェアとしての処理回路でその機能を実現し、それ以外についてはプロセッサ４１としての処理回路４０がメモリ４２に格納されたプログラムを読み出して実行することによってその機能を実現することが可能である。
【００７９】
以上のように、処理回路４０は、ハードウェア、ソフトウェア等、またはこれらの組み合わせによって、上述の各機能を実現することができる。なお、表示オブジェクト記憶部１２および音声データ記憶部１４は、メモリ４２から構成されるが、それらは一つのメモリ４２から構成されてもよいし、それぞれは個別のメモリ４２から構成されてもよい。
【００８０】
また、以上で説明した表示制御装置は、車両に搭載可能な備え付けられたナビゲーション装置、Portable Navigation Device、通信端末（例えば携帯電話、スマートフォン、およびタブレットなどの携帯端末）、およびこれらにインストールされるアプリケーションの機能、並びにサーバなどを適宜に組み合わせてシステムとして構築される表示制御システムに適用することができる。この場合、以上で説明した表示制御装置の各機能あるいは各構成要素は、上記システムを構築する各機器に分散して配置されてもよいし、いずれかの機器に集中して配置されてもよい。
【００８１】
なお、本発明は、その発明の範囲内において、各実施の形態を自由に組み合わせたり、各実施の形態を適宜、変形、省略することが可能である。
【符号の説明】
【００８２】
１  表示制御装置、２  虚像表示部、３  音像生成部、４  ナビゲーション装置、５  車載機器、６  注意対象検知装置、７  注視点推定部、１１  情報取得部、１１ａ  相対位置取得部、１２  表示オブジェクト記憶部、１３  表示制御部、１４  音声データ記憶部、１５  音像制御部、４０  処理回路、４１  プロセッサ、４２  メモリ、９０  注意対象、１００  表示オブジェクト、１０１  案内表示オブジェクト、１０２，１０３  警告表示オブジェクト、１０４  注意対象表示オブジェクト、２００〜２０４  音像、３００  運転者、３０１  ウィンドシールド、３０２  車内スピーカ。
【図１】
2017056747.tif 000003
【図２】
2017056747.tif 000004
【図３】
2017056747.tif 000005
【図４】
2017056747.tif 000006
【図５】
2017056747.tif 000007
【図６】
2017056747.tif 000008
【図７】
2017056747.tif 000009
【図８】
2017056747.tif 000010
【図９】
2017056747.tif 000011
【図１０】
2017056747.tif 000012
【図１１】
2017056747.tif 000013
【図１２】
2017056747.tif 000014
【図１３】
2017056747.tif 000015
【図１４】
2017056747.tif 000016
【図１５】
2017056747.tif 000017
【図１６】
2017056747.tif 000018
【図１７】
2017056747.tif 000019
【図１８】
2017056747.tif 000020
【図１９】
2017056747.tif 000021
【図２０】
2017056747.tif 000022
【図２１】
2017056747.tif 000023
【図２２】
2017056747.tif 000024
【図２３】
2017056747.tif 000025
【図２４】
2017056747.tif 000026
【図２５】
2017056747.tif 000027
【図２６】
2017056747.tif 000028
【図２７】
2017056747.tif 000029
【図２８】
2017056747.tif 000030
【図２９】
2017056747.tif 000031
【図３０】
2017056747.tif 000032
【図３１】
2017056747.tif 000033
【図３２】
2017056747.tif 000034
【図３３】
2017056747.tif 000035
【図３４】
2017056747.tif 000036
【図３５】
2017056747.tif 000037
【図３６】
2017056747.tif 000038
【図３７】
2017056747.tif 000039
【図３８】
2017056747.tif 000040
【図３９】
2017056747.tif 000041
【図４０】
2017056747.tif 000042
【図４１】
2017056747.tif 000043
【図４２】
2017056747.tif 000044
【図４３】
2017056747.tif 000045
【図４４】
2017056747.tif 000046
【図４５】
2017056747.tif 000047
【図４６】
2017056747.tif 000048